(57)【要約】【課題】使用の際に用いる長尺状開封具に大きな力を加える必要がなく、そして食品を確実に且つ均一に加熱することができる発熱具を提供すること。【解決手段】易引裂性袋体１１に水１２を封入した水袋（１３）、中央に開口部を備える支持板（１５）、および透水性袋体に発熱剤を収容した発熱剤袋（１８）をこの順に積層し、そして水袋と支持板とを支持板の開口部（１４）よりも後方側で互いに固定してなる積層体が封入されている、上面が易引裂性の水不透性フィルムで形成された水密容器（２２）、および一方の端部（２３ａ）が支持板の開口部の前方側に固定され、前方側から水袋と支持板との間を通って水袋後方にて折り返された後に水袋の下を通って、支持板の前端を超える位置で上方に折り曲げられ、次いで発熱剤袋の上を通って水密容器の上面後方側から外部に引き出され、そして他方の端部（２３ｂ）が水密容器の前端を超えるようにされている長尺状開封具（２３）を含む発熱具。【選択図】図３
2008089214.tif 000002
【特許請求の範囲】
【請求項１】
易引裂性の袋体に水が封入された水袋、中央に開口部を備える支持板、および透水性の袋体に水との接触により発熱する発熱剤が収容された発熱剤袋をこの順に積層し、そして上記の水袋と支持板とを該支持板の開口部よりも後方側にて互いに固定してなる積層体が封入されている、上面が易引裂性の水不透性フィルムで形成されている水密容器、および一方の端部が支持板の開口部よりも前方側に固定され、前方側から水袋と支持板との間を通って水袋の後方にて折り返された後に水袋の下を通るか、あるいは前方側から水袋の下を通って水袋の後方にて折り返された後に水袋と支持板との間を通るかして、該支持板の前端を超える位置にて上方に折り曲げられ、次いで発熱剤袋の上を通って水密容器の上面後方側から外部に引き出され、そして他方の端部が該水密容器の前端を超えるようにされている長尺状開封具を含む発熱具。
【請求項２】
支持板、易引裂性の袋体に水が封入された水袋、および透水性の袋体に水との接触により発熱する発熱剤が収容された発熱剤袋をこの順に積層し、そして上記の水袋と支持板とを該支持板の後方側にて互いに固定してなる積層体が封入されている、上面が易引裂性の水不透性フィルムで形成されている水密容器、および一方の端部が支持板の前方側に固定され、前方側から水袋と支持板との間を通って水袋の後方にて折り返された後に水袋と発熱剤袋との間を通るか、あるいは前方側から水袋と発熱剤袋との間を通って水袋の後方にて折り返された後に水袋と支持板との間を通るかして、該水袋の前端を超える位置にて上方に折り曲げられ、次いで発熱剤袋の上を通って水密容器の上面後方側から外部に引き出され、そして他方の端部が該水密容器の前端を超えるようにされている長尺状開封具を含む発熱具。
【請求項３】
水との接触により発熱する発熱剤、易引裂性の袋体に水が封入された水袋、および支持板をこの順に積層し、そして上記の水袋と支持板とを該支持板の後方側にて互いに固定してなる積層体が封入されている、上面が易引裂性の水不透性フィルムで形成されている水密容器、および一方の端部が支持板の前方側に固定され、前方側から水袋と支持板との間を通って水袋の後方にて折り返された後に水袋と発熱剤との間を通るか、あるいは前方側から水袋と発熱剤との間を通って水袋の後方にて折り返された後に水袋と支持板との間を通るかして、該支持板の前端を超える位置にて上方に折り曲げられ、次いで支持板の上を通って水密容器の上面後方側から外部に引き出され、そして他方の端部が該水密容器の前端を超えるようにされている長尺状開封具を含む発熱具。
【請求項４】
水との接触により発熱する発熱剤、支持板、および易引裂性の袋体に水が封入された水袋をこの順に積層し、そして上記の水袋と支持板とを該支持板の後方側にて互いに固定してなる積層体が封入されている、上面が易引裂性の水不透性フィルムで形成されている水密容器、および一方の端部が支持板の前方側に固定され、前方側から水袋の上を通って水袋の後方にて折り返された後に水袋と支持板との間を通って、該水袋の前端を超える位置にて上方に折り曲げられ、次いで水袋の上を通って水密容器の上面後方側から外部に引き出され、そして他方の端部が該水密容器の前端を超えるようにされている長尺状開封具を含む発熱具。
【請求項５】
発熱剤が透水性の袋体に収容されている請求項３もしくは４に記載の発熱具。
【請求項６】
発熱剤が粉末状の形態を持つ請求項３もしくは４に記載の発熱具。
【請求項７】
支持板がその中央に開口部を備える請求項２乃至６のうちのいずれかの項に記載の発熱具。
【請求項８】
長尺状開封具の上記一方の端部が支持板に離脱可能に仮固定されている請求項１乃至７のうちのいずれかの項に記載の発熱具。
【請求項９】
水密容器が易引裂性の水不透性フィルムから形成された袋体である請求項１乃至８のうちのいずれかの項に記載の発熱具。
【請求項１０】
請求項１乃至９のうちのいずれかの項に記載の発熱具を底部に収容している、上面が開口し、該発熱具の前端側の壁に透孔を有する箱体、該発熱具の上に配置されている食品トレイ、そして該箱体の開口を塞ぐ蓋体からなり、該発熱具の長尺状開封具の上記他方の端部が箱体の透孔から外部に引き出されている食品加熱容器。                                                                              
【発明の詳細な説明】
【技術分野】
【０００１】
本発明は、弁当あるいは惣菜などの食品を収容する食品トレイの下側に配置して、前記食品を加熱するために有利に用いることができる発熱具、および発熱具を備える食品加熱容器に関する。
【背景技術】
【０００２】
従来より、弁当あるいは惣菜などの食品を収容する食品トレイの下側に、水との接触により発熱する発熱剤（例、生石灰粉末）を用いた発熱具を配置して、食品トレイに収容された食品を、食前に適温に加熱する方法は知られている。また、このような発熱具を用いて、例えば、日本酒などの飲み物を加熱することも知られている。
【０００３】
図１５は、特許文献１に記載されている発熱具の構成を示す分解斜視図である。図１５の発熱具７０は、上面に開口部を有するケース７５、ケース７５に収容されている粉末状の発熱剤７１、発熱剤７１の上に配置されている、水袋破断用の紐７３の一方の端部７３ａが固定された支持材７４、支持材の上に配置された水袋７２、発熱剤７１と空気中の水分との接触を抑制するためにケース７５の上端周縁に貼り着けられた防湿シート７６、そして防湿シートの上に重ねて貼り着けられた水蒸気透過シート７７から構成されている。
【０００４】
この発熱具７０の紐７３を図１５に記入した矢印が示す方向に引っ張ると、防湿シート７６と水袋７２とが引き裂かれて水袋７２から水が流れ出し、この水と接触そして反応することで発熱剤７１が発する熱によって水蒸気が発生する。この水蒸気は、紐７３によって引き裂かれた防湿シート７６の開口、そして水蒸気透過シート７７を通ってケース７５の外部に噴き出し、食品の加熱に利用される。
【０００５】
図１６は、特許文献２に記載されている発熱具の構成を示す斜視図である。図１６の発熱具８０は、透水性袋体に発熱剤が収容された構成の発熱部材８１と水袋８２とを収納袋８５に封入した構成を有している。この発熱具８０の水袋８２には、そのシール部８２ａに切り込み８２ｂを入れて形成したテープ片８３が備えられている。
【０００６】
この発熱具８０のテープ片８３を図１６に記入した矢印が示す方向に引っ張ると、収納袋８５と水袋８２とが引き裂かれて水袋８２から水が流れ出し、この水と接触そして反応することで発熱部材８１に収容されている発熱剤が発する熱によって水蒸気が発生する。この水蒸気は、テープ片８３によって引き裂かれた収納袋８５の側端開口から噴き出し、食品の加熱に利用される。
【特許文献１】特開２００２−３６０４３９号公報
【特許文献２】実開平５−６８４３４号公報
【発明の開示】
【発明が解決しようとする課題】
【０００７】
前記の特許文献１に記載の発熱具は、使用の際に破断用の紐によって、ケースの上端周縁に貼り着けられた防湿フィルム（防湿シート）と、水袋の上下面を構成する二枚のフィルムとを同時に引き裂く、すなわち合計で三枚のフィルムを同時に引き裂く必要がある。
【０００８】
一方、特許文献２の発熱具は、使用を開始した直後には、テープ片によって収納袋の上下面を構成する二枚のフィルムを引き裂くだけでよいが、水袋を開封する際には、前記の収納袋の二枚のフィルムに加え、更に水袋の上下面を構成する二枚のフィルムを同時に引き裂く、すなわち合計で四枚のフィルムを同時に引き裂く必要がある。
【０００９】
このように、これらの従来の発熱具は、使用の際に破断用の紐あるいはテープ片に大きな力を加えながら三枚あるいは四枚のフィルムを同時に引き裂く必要がある。ところが、使用者は、発熱具の構造を熟知していないことが多いため、大きな力を加えると破断用の紐やテープ片が切れたり、あるいは発熱具が壊れたりすると誤解して、破断用の紐やテープ片を小さな力で引っ張ったり、あるいは引っ張ることを途中で止めてしまうことがある。このようなことから、従来の発熱具は、使用者によって確実に水袋を開封させることができないため、食品を加熱することができなかったり、あるいは防湿フィルムや収納袋を確実に且つ十分な大きさで開口させることができないため、不十分な大きさの開口から水蒸気が噴き出して、この水蒸気が食品トレイの下面の一部分に集中して接触して食品を不均一に加熱したりする場合がある。特に、使用者が力の弱い女性や老人あるいは子供である場合に、食品を確実に且つ均一に加熱できない場合が多い。
【００１０】
本発明の課題は、使用の際に用いる長尺状開封具に大きな力を加える必要がなく、そして食品を確実に且つ均一に加熱することができる発熱具を提供することにある。
【課題を解決するための手段】
【００１１】
本発明の発熱具は、水袋、この水袋の上あるいは下に備えられている、水袋を後方側にて固定した状態で支持する支持板、および水袋に封入された水を接触させることで発熱する発熱剤を封入している水密容器、そして水密容器及び水袋をそれぞれ開封するために用いる長尺状開封具などから構成される。そして、本発明の発熱具は、長尺状開封具の一方の端部が支持板の前方側に固定され、この開封具が水袋の周囲を通ったのち（通常は、水袋の周囲を一周したのち）に水密容器の上面後方側から外部に引き出され、そして他方の端部が水密容器の前端を超えるようにされている（長尺状開封具の水密容器の外部に引き出された部分の長さが、上記の他方の端部が水密容器の前端を超えることができる長さに設定されている）ことに主な特徴がある。
【００１２】
このような特徴を持つ本発明の発熱具は、図１（Ａ）及び図１（Ｂ）に示すように、水密容器（図示していない）の内部にて、水袋１３の上に発熱剤１７が配置されている発熱具と、図１（Ｃ）及び図１（Ｄ）に示すように、水密容器の内部にて、発熱剤１７の上に水袋１３が配置されている発熱具とに大別される。
【００１３】
水袋１３の上に発熱剤１７が配置された発熱具には、図１（Ａ）に示すように水袋１３の上に支持板１５が備えられている発熱具（以下、第一の構成の発熱具という）と、図１（Ｂ）に示すように水袋１３の下に支持板１５が備えられている発熱具（以下、第二の構成の発熱具という）とがある。同様に、発熱剤１７の上に水袋１３が配置された発熱具には、図１（Ｃ）に示すように水袋１３の上に支持板１５が備えられている発熱具（以下、第三の構成の発熱具という）と、図１（Ｄ）に示すように水袋１３の下に支持板１５が備えられている発熱具（以下、第四の構成の発熱具という）とがある。なお、図１（Ａ）から図１（Ｄ）の各々に示す発熱剤１７は、いずれも透水性の袋体１６に収容されている。
【００１４】
すなわち、本発明の第一の構成の発熱具は、易引裂性の袋体に水が封入された水袋、中央に開口部を備える支持板、および透水性の袋体に水との接触により発熱する発熱剤が収容された発熱剤袋をこの順に積層し、そして上記の水袋と支持板とを支持板の開口部よりも後方側にて互いに固定してなる積層体が封入されている、上面が易引裂性の水不透性フィルムで形成されている水密容器、および一方の端部が支持板の開口部よりも前方側に固定され、前方側から水袋と支持板との間を通って水袋の後方にて折り返された後に水袋の下を通るか、あるいは前方側から水袋の下を通って水袋の後方にて折り返された後に水袋と支持板との間を通るかして、上記の支持板の前端を超える位置にて上方に折り曲げられ、次いで発熱剤袋の上を通って水密容器の上面後方側から外部に引き出され、そして他方の端部が水密容器の前端を超えるようにされている長尺状開封具から構成される。
【００１５】
本発明の第二の構成の発熱具は、支持板、易引裂性の袋体に水が封入された水袋、および透水性の袋体に水との接触により発熱する発熱剤が収容された発熱剤袋をこの順に積層し、そして上記の水袋と支持板とを支持板の後方側にて互いに固定してなる積層体が封入されている、上面が易引裂性の水不透性フィルムで形成されている水密容器、および一方の端部が支持板の前方側に固定され、前方側から水袋と支持板との間を通って水袋の後方にて折り返された後に水袋と発熱剤袋との間を通るか、あるいは前方側から水袋と発熱剤袋との間を通って水袋の後方にて折り返された後に水袋と支持板との間を通るかして、上記の水袋の前端を超える位置にて上方に折り曲げられ、次いで発熱剤袋の上を通って水密容器の上面後方側から外部に引き出され、そして他方の端部が水密容器の前端を超えるようにされている長尺状開封具から構成される。
【００１６】
本発明の第三の構成の発熱具は、水との接触により発熱する発熱剤、易引裂性の袋体に水が封入された水袋、および支持板をこの順に積層し、そして上記の水袋と支持板とを支持板の後方側にて互いに固定してなる積層体が封入されている、上面が易引裂性の水不透性フィルムで形成されている水密容器、および一方の端部が支持板の前方側に固定され、前方側から水袋と支持板との間を通って水袋の後方にて折り返された後に水袋と発熱剤との間を通るか、あるいは前方側から水袋と発熱剤との間を通って水袋の後方にて折り返された後に水袋と支持板との間を通るかして、上記の支持板の前端を超える位置にて上方に折り曲げられ、次いで支持板の上を通って水密容器の上面後方側から外部に引き出され、そして他方の端部が水密容器の前端を超えるようにされている長尺状開封具から構成される。
【００１７】
そして、本発明の第四の構成の発熱具は、水との接触により発熱する発熱剤、支持板、および易引裂性の袋体に水が封入された水袋をこの順に積層し、そして上記の水袋と支持板とを支持板の後方側にて互いに固定してなる積層体が封入されている、上面が易引裂性の水不透性フィルムで形成されている水密容器、および一方の端部が支持板の前方側に固定され、前方側から水袋の上を通って水袋の後方にて折り返された後に水袋と支持板との間を通って、上記の水袋の前端を超える位置にて上方に折り曲げられ、次いで水袋の上を通って水密容器の上面後方側から外部に引き出され、そして他方の端部が水密容器の前端を超えるようにされている長尺状開封具から構成される。
【００１８】
本発明の発熱具の好ましい態様は、次の通りである。
（１）第三もしくは第四の構成の発熱具において、発熱剤が透水性の袋体に収容されている。
（２）第三もしくは第四の構成の発熱具において、発熱剤が粉末状の形態を持つ。
（３）第二、第三もしくは第四の構成の発熱具において、支持板がその中央に開口部を備える。
（４）上記の各構成の発熱具において、長尺状開封具の上記一方の端部が支持板に離脱可能に仮固定されている。
（５）上記の各構成の発熱具において、水密容器が易引裂性の水不透性フィルムから形成された袋体である。
【００１９】
本発明はまた、上記の第一から第四のうちのいずれかの構成の発熱具を底部に収容している、上面が開口し、前記発熱具の前端側の壁に透孔を有する箱体、発熱具の上に配置されている食品トレイ、そして箱体の開口を塞ぐ蓋体からなり、前記の発熱具の長尺状開封具の上記他方の端部が箱体の透孔から外部に引き出されている食品加熱容器にもある。
【発明の効果】
【００２０】
本発明の発熱具の長尺状開封具を引っ張ると、この開封具により、先ず水密容器の上面の水不透性フィルムが引き裂かれて開口し（水密容器が開封され）、その次に水袋が引き裂かれて開封される。これにより、水袋の水は水密容器の内部に流れ出す。この水と接触して発熱剤が発する熱によって生じた水蒸気は、水密容器上面の水不透性フィルムの開口から外部に噴き出し、食品の加熱に利用される。
【００２１】
このように、本発明の発熱具を使用する際には、長尺状開封具によって、先ず一枚のフィルム（水密容器上面の水不透性フィルム）が引き裂かれ、その次に二枚のフィルム（水袋の上下面を構成するフィルム）が引き裂かれる。すなわち、本発明の発熱具においては、使用の際に三枚以上のフィルムを同時に引き裂くことがないため、長尺状開封具に大きな力を加える必要はない。このため、本発明の発熱具は、使用者に長尺状開封具が切れたり、あるいは発熱具が壊れたりするとの誤解を生じさせることなく長尺状開封具を十分に引っ張らせることができるため、食品を確実に且つ均一に加熱することができる。
【発明を実施するための最良の形態】
【００２２】
先ず、本発明の第一の構成の発熱具を添付の図面を用いて説明する。図２は、本発明の第一の構成の発熱具の一例を示す斜視図であり、そして図３は、図２に記入した切断線III−III線に沿って切断した発熱具１０の断面図である。また、図４は、図３に示す発熱具１０の積層体１９ａを水密容器２２に封入する前の状態を示す斜視図であり、そして図５は、図４に示す積層体１９ａを分解した状態を示す斜視図である。なお、図３に示す向きに配置された発熱具１０において、図の右側を「前方側」と、そして図の左側を「後方側」と云う。
【００２３】
図２〜図５に示す本発明の第一の構成の発熱具１０は、易引裂性の袋体１１に水１２が封入された水袋１３、中央に開口部１４を備える支持板１５、および透水性の袋体１６に水との接触により発熱する発熱剤１７が収容された発熱剤袋１８をこの順に積層し、そして上記の水袋１３と支持板１５とを支持板１５の開口部１４よりも後方側にて互いに固定してなる積層体１９ａが封入されている、上面が易引裂性の水不透性フィルム２１で形成されている水密容器２２、および一方の端部２３ａが支持板１５の開口部１４よりも前方側に固定され、前方側から水袋１３と支持板１５との間を通って水袋１３の後方にて折り返された後に水袋１３の下を通って、上記の支持板１５の前端を超える位置にて上方に折り曲げられ、次いで発熱剤袋１８の上を通って水密容器２２の上面後方側から外部に引き出され、そして他方の端部２３ｂが水密容器２２の前端を超えるようにされている長尺状開封具２３から構成されている。
【００２４】
後に詳しく説明するが、この発熱具１０の長尺状開封具２３を図３に記入した矢印が示す方向に引っ張ると、開封具２３によって、先ず水密容器２２の上面の水不透性フィルム２１が引き裂かれて開口し（水密容器２２が開封され）、その次に水袋１３が引き裂かれて開封される。これにより、水袋１３の水１２は水密容器２２の内部に流れ出す。この水と接触して発熱剤１７が発する熱によって生じた水蒸気は、容器２２の上面の水不透性フィルム２１の開口から外部に噴き出し、食品の加熱に利用される。
【００２５】
発熱剤１７としては、水との接触により発熱する公知の発熱剤、例えば、生石灰粉末、あるいは生石灰粉末とアルミニウム粉末との混合物などを用いることができる。
【００２６】
前記の生石灰粉末とアルミニウム粉末との混合物からなる発熱剤は、例えば、特開２００１−２２６６６８号公報に詳しく記載されている。また、より大きな発熱量を得るために、発熱剤（あるいは水袋に封入する水）に塩化ナトリウム等を添加することも好ましい。塩化ナトリウム等を添加した発熱剤については、例えば、特開２００６−１５２０９０号公報に詳しく記載されている。
【００２７】
図３〜図５に示すように、第一の構成の発熱具（及び後に説明する第二の構成の発熱具）のように発熱剤１７が水袋１３の上に配置される発熱具の場合には、発熱剤１７は、例えば、不織布あるいは和紙などから形成された透水性の袋体１６に収容される。この袋体１６の「透水性」とは、発熱剤１７を袋体１６の外部に大量には透過させず、かつ内部に水を透過させことができる程度の透水性を持つことを意味している。
【００２８】
このように、透水性袋体１６に発熱剤１７を収容した発熱剤袋１８を用いると、発熱剤１７の位置決めが容易になり、発熱剤１７を収容した発熱剤袋１８を水袋１３（及び支持板１５）の上方で、かつ使用の際に水密容器２２の上面の水不透性フィルム２１に形成される開口の真下に配置することができる。このような配置により、水袋１３から流れ出した水が発熱剤袋１８の内部に侵入し、そして発熱剤１７の発熱により水蒸気となって発熱剤袋１８の上面から噴き出した際に、この水蒸気が支持板１５や開封後の水袋に遮られることなく、使用の際に水密容器２２の水不透性フィルム２１に形成される開口の全体から均一に噴き出すようになる。また、発熱剤袋１８を用いると、発熱剤１７の取り扱いが容易になるため、発熱具１０を簡単に組み立てることができる。
【００２９】
上記のように、第一の構成の発熱具１０の場合には、発熱剤１７を収容した発熱剤袋１８は、易引裂性の袋体１１に発熱剤用の水１２を封入した水袋１３の上方に配置される。
【００３０】
水袋１３の易引裂性の袋体１１は、例えば、ポリエチレン樹脂フィルム、ポリプロピレン樹脂フィルム、ポリスチレン樹脂フィルム、ポリアミド樹脂フィルム、ポリエステル樹脂フィルム、ポリカーボネート樹脂フィルム、もしくはポリ塩化ビニル樹脂フィルムなどの樹脂フィルム、あるいはこれらの樹脂フィルムのうちの二以上を積層した積層樹脂フィルムから形成される。樹脂フィルムは、水袋の引き裂きを容易にするため、一軸延伸処理されたものであることが好ましい。
【００３１】
この袋体１１の「易引裂性」とは、使用者が、長尺状開封具２３を手で引っ張った際に加えられる力によって（水１２を封入した状態で）袋体１１を引き裂くことが可能であることを意味しており、例えば、図３及び図５に示すように、袋体１１を、その引き裂きを補助する切り込み１１ａが設けられた状態で引き裂くことが可能であることも含まれる。
【００３２】
一方、袋体１１の透湿度が高いと、発熱具１０を製造してから使用する迄の間に、袋体１１に封入されている水１２が外部に水蒸気として透過して、この水蒸気が水密容器２２に封入されている発熱剤１７に接触するため、発熱具１０を使用する際（食品を加熱する際）に十分な発熱量が得られなくなる場合がある。このため、袋体１１は、低い透湿度を示す樹脂フィルム（あるいは積層樹脂フィルム）から形成することが好ましい。樹脂フィルムの透湿度は、フィルムの厚みや材料の選定によって容易に調節することができる。
【００３３】
例えば、駅弁や仕出し弁当の加熱に用いる発熱具は、その製造後に比較的に速やかに使用されるが、災害時に被災者に供給される弁当の加熱に用いる発熱具は、災害に備えて予め大量に製造しておくことが必要であるため、使用する迄に長期間保管される場合が多い。従って、上記の災害時に用いる発熱具の水袋には、駅弁や仕出し弁当用の発熱具の場合と比較して、より低い透湿度を示す袋体を用いることが必要である。
【００３４】
水袋１３の袋体１１を形成するフィルムとしては、通常、その透湿度が１０ｇ／（ｍ2・２４時間）以下であるものが用いられ、この透湿度は０．０１〜５．０ｇ、更には０．０１〜１．５、特に０．０１〜０．５０ｇ／（ｍ2・２４時間）の範囲にあることが好ましい。
【００３５】
前記のように、長期間保管される発熱具（例えば、上記の災害時に用いる発熱具）の場合には、水袋１３の袋体１１を形成するフィルムの透湿度は０．０１〜１．５、特に０．０１〜０．５０ｇ／（ｍ2・２４時間）の範囲にあることが好ましい。このような場合には、水袋１３の袋体１１を、アルミニウムなどの金属層が積層された樹脂フィルム（以下、金属層付き樹脂フィルムという）から形成することが好ましい。
【００３６】
また、袋体１１を金属層付き樹脂フィルムから形成すると、金属層が水蒸気を殆ど透過させないため、樹脂フィルムの厚みを薄くすることができる。このため、袋体１１を、低透湿度を示し且つ容易に引き裂くことができる厚みの薄いフィルムから形成することができる。
【００３７】
このような理由により、図３に示す発熱具１０の水袋１３の袋体１１を形成するフィルム（および後述の水密容器２２の上面の水不透性フィルム２１）としては、厚みが１２μｍのアルミ蒸着ポリエステルフィルムの蒸着面に、厚みが６０μｍのポリプロピレンフィルムをラミネートした構成を持つ市販の金属層付き樹脂フィルム（透湿度：０．２ｇ／（ｍ2・２４時間））が用いられている。
【００３８】
なお、本明細書において、水袋１３の袋体１１を積層樹脂フィルムあるいは金属層付き樹脂フィルムから形成し、長尺状開封具２３によって水袋１３の上下面を構成するフィルムを引き裂く場合には、引き裂かれるフィルムの枚数は二枚と数える。同様に後に説明する水密容器２２の上面の水不透性フィルム２１を積層樹脂フィルムあるいは金属層付き樹脂フィルムから形成し、長尺状開封具２３によって上記水不透性フィルム２１を引き裂く場合には、引き裂かれるフィルムの枚数は一枚と数える。
【００３９】
そして本発明の第一の構成の発熱具１０においては、水袋１３の上に支持板１５が備えられており、この水袋１３と支持板１５とが、支持板１５の開口部１４よりも後方側にて互いに固定される。支持板１５は、使用者によって長尺状開封具２３が図３に記入した矢印が示す方向に（すなわち前方側に）引っ張られ、これにより長尺状開封具２３の水袋１３の後方にて折り返された部分が前方側に移動した際に（詳細は後述する）、この部分と共に水袋１３が水密容器２２の内部の前方側に移動して、その引き裂きが困難とならないようにするため、水袋１３をその後方側にて支持している。
【００４０】
図３〜図５に示すように、発熱具１０の場合には、水袋１３と支持板１５とは、支持板１５の開口部１４よりも後方側にて、ステープラの綴じ針２４によって互いに固定されている。また、長尺状開封具２３を水袋１３の袋体１１の引き裂きを補助する切り込み１１ａに通し、そして切り込み１１ａの端部近傍を綴じ針２４で固定しておくと、開封具２３が切り込み１１ａから外れることがないため、水袋１３を確実に引き裂いて開封することが可能になる。水袋１３と支持板１５との固定方法に特に制限はなく、例えば、両者を接着テープ（あるいは接着剤）を用いて互いに固定してもよい。
【００４１】
そして、図３に示すように、本発明の第一の構成の発熱具１０の場合には、支持板１５として、その中央に開口部１４を備えるものが用いられる。仮に、支持板１５として開口部を備えていないものを用いると、開封された水袋から流れ出た水が支持板に遮られて発熱剤１７に接触し難いからである。
【００４２】
支持板１５の開口部１４の周縁には、互いに対向配置され、各々開口部の周縁から斜め上方に伸びる一対の発熱剤袋固定板１５ａ、１５ａが備えられていることが好ましい。図４に示すように発熱剤袋１８の左右の各々の端部近傍の部位を、上方から一対の発熱剤袋固定板１５ａ、１５ａで押さえることにより、発熱剤袋１８を水密容器２２の内部で移動しないように支持板１５に簡単に固定することができる。
【００４３】
なお、発熱剤袋１８は、例えば、接着テープを用いて支持板１５に固定することもできるが、水との反応によって発熱剤１７の体積が膨張した場合に接着テープが剥がれることがある。上記の一対の発熱剤固定板１５ａ、１５ａを用いると、発熱剤１７の体積が膨張した場合であっても、この体積膨張に応じて各々の発熱剤固定板１５ａが、支持板１５の開口部１４の周縁との接続部を中心にして上方に折れ曲がり、発熱剤袋１８を支持板１５に確実に固定し続けることができる。
【００４４】
支持板１５は、例えば、ポリエチレン樹脂やポリプロピレン樹脂に代表される樹脂材料、あるいは厚紙や段ボールなどから形成される。支持板１５は、厚紙もしくは段ボール製であることが好ましい。これにより、支持板１５を、上記の一対の発熱剤固定板１５ａ、１５ａと共に一枚の段ボールシートから容易に組み立てることができるようになり、また発熱具の廃棄も容易になる。
【００４５】
支持板１５は、長尺状開封具２３を引っ張った際に折れ曲がらない程度の高い強度を持つ必要がある。支持板１５の強度は、その材料、厚み、あるいは開口部１４の大きさなどによって容易に調節することができる。例えば、上記のように段ボール製の支持板を用いる場合には、支持板１５が高い強度を示すように、段ボールのフルートの長さ方向を長尺状開封具２３を引っ張る方向（発熱具の前後方向）と一致させることが好ましい。例えば、段ボール製の支持板（そのフルートの長さ方向を長尺状開封具を引っ張る方向に一致させたもの）は、その厚みが１ｍｍ程度もあれば十分に高い強度を示す。
【００４６】
そして、上記の水袋１３、支持板１５及び発熱剤袋１８をこの順に積層し、水袋１３と支持板１５とを互いに固定することで構成される積層体１９ａは、上面が易引裂性の水不透性フィルム２１で形成されている水密容器２２に封入される。
【００４７】
水密容器２２の上面のフィルム２１の「易引裂き性」とは、水袋１３の袋体１１の場合と同様に、長尺状開封具２３によってフィルム２１を引き裂き可能であることを意味し、また「水不透性」とは、使用の際に発熱具によって実用的な発熱量が得られる程度に、フィルム２１が低い透湿度を持つことを意味する。易引裂性の水不透性フィルム２１としては、上記の水袋１３の袋体１１を形成するフィルムとして例示したものを用いることができる。
【００４８】
水密容器２２は、上面が易引裂性の水不透性フィルム２１で形成されている限り、その構成に特に制限はない。水密容器２２としては、例えば、図２〜図５に示すように易引裂性の水不透性フィルムから形成された袋体を用いてもよいし、あるいは特許文献１に記載されているように上面の開口に易引裂性の水不透性フィルム（防湿シート）が貼り付けられた樹脂製の容器を用いてもよい。
【００４９】
但し、樹脂製の容器を用いると、この容器を成形するために高価な金型を準備する必要がある。水密容器２２として易引裂性のフィルムから形成された袋体を用いると、その製造に金型を用いる必要がなく、このため発熱具１０が収容される各種の食品加熱容器の形状に応じて水密容器２２のサイズ（すなわち発熱具１０のサイズ）を柔軟に変更することが可能になる。また、上記の樹脂製の容器は、僅かではあるが水蒸気を透過させる。水密容器２２として、例えば、上記の金属層付き樹脂フィルムに代表される極めて低い透湿度を持つフィルムから形成された袋体を用いることにより、水密容器２２の内部に水蒸気が殆ど侵入しなくなるため、長期保管性に優れる発熱具を提供することが可能になる。
【００５０】
また、図２〜図５に示すように、上記の水密容器２２の水不透性フィルム２１には、長尺状開封具２３を外部に引き出すための切り込み２１ａが形成されている。水密容器２２としては、上記の切り込み２１ａに代えて、長尺状開封具２３を引き出すための孔部が形成されたものを用いてもよい。
【００５１】
そして、図２〜５に示す本発明の第一の構成の発熱具１０においては、水密容器２２及び水袋１３をそれぞれ開封するために用いる長尺状開封具２３は、その一方の端部２３ａが支持板１５の開口部１４よりも前方側に固定され、前方側から水袋１３と支持板１５との間を通って水袋１３の後方にて折り返された後に水袋１３の下を通って、上記の支持板１５の前端を超える位置にて上方に折り曲げられ、次いで発熱剤袋１８の上を通って水密容器２２の上面後方側から外部に引き出され、そして他方の端部２３ｂが水密容器２２の前端を超えるようにされている。
【００５２】
長尺状開封具２３としては、図２〜５に示すような長尺状の紐、あるいは長尺状のテープが用いられる。長尺状開封具２３として、長尺で且つ広幅（例えば、２〜３ｃｍ）のテープを用い、このテープの水密容器２２の外部に引き出された部分を水不透性フィルム２１の上面に固定することにより、水不透性フィルム２１を前記テープに対応する幅にて引き裂いて大きなサイズにて開口させ、この開口からより多くの量の水蒸気を噴き出させることができるようになる。このような長尺状のテープとしては、例えば、樹脂フィルムや合成紙から形成されたものを好ましく用いることができる。
【００５３】
長尺状開封具２３の端部２３ａと支持板１５との固定方法に特に制限はなく、例えば、図３〜図５に示すように支持板１５の前端部に切り込み１５ｂを設け、この切り込み１５ｂに開封具２３の結び目を引っ掛けて固定してもよいし、接着テープやステープラの綴じ針などを利用して固定してもよい。
【００５４】
そして、図２及び図４に示すように、水密容器２２の内側に、水袋１３、支持板１５及び発熱剤袋１８から構成される積層体１９ａと、この積層体１９ａに備えられた長尺状開封具２３とを、開封具２３の端部２３ｂの側の一部分が切り込み２１ａを通して外部に引き出された状態にて収容したのち、例えば、熱融着によって容器２２の開口を閉じ、切り込み２１ａに接着テープ（好ましくは金属層を備える低透湿度を示すもの）２５を貼り付け、そして容器２２の上面後方側の開封具２３が引き出されている部分を公知の樹脂（例、アクリル樹脂系あるいはエポキシ樹脂系の低透湿性を示す接着剤）２６で塞ぐことにより、本発明の第一の構成の発熱具１０を作製することができる。
【００５５】
次に、この発熱具１０を用いた本発明の食品加熱容器の構成を簡単に説明したのち、発熱具１０の動作について詳細に説明する。
【００５６】
図６は、本発明の食品加熱容器の構成例を示す部分断面図である。図６の食品加熱容器６０は、上記の本発明の第一の構成の発熱具１０を底部に収容している、上面が開口し、発熱具１０の前端側の壁６１に透孔６２を有する箱体６３、発熱具１０の上に配置されている食品トレイ６４、そして箱体６３の開口を塞ぐ蓋体６５から構成され、前記の発熱具１０の長尺状開封具２３の上記他方の端部２３ｂは、箱体６３の透孔６２から外部に引き出されている。この食品加熱容器６０の箱体６３、食品トレイ６４及び蓋体６５の材料や構成等は、従来の発熱具を備える加熱容器で用いられているものと同様であるため説明は省略する。
【００５７】
図６の食品加熱容器６０が備える発熱具１０の長尺状開封具２３の端部２３ｂの側を前方（図に記入した矢印６６ａが示す方向）に引っ張ると、図７に示すように長尺状開封具２３によって、先ず水密容器２２の上面の水不透性フィルム２１が引き裂かれて開口する。そして更に長尺状開封具２３を引っ張ると、図８に示すように水密容器２２の水不透性フィルム２１が十分に大きなサイズにて開口する。このように、水密容器２２は、長尺状開封具２３に大きな力を加えなくても、その上面の一枚の水不透性フィルム２１を引き裂くだけで簡単に開封することができる。
【００５８】
このようにして水密容器２２が開封されたのちに、更に長尺状開封具２３を引っ張ると、図９に示すように長尺状開封具２３によって、水袋１３がその後方側から引き裂かれ始め、次いで図１０に示すように、水袋１３が二つに引き裂かれて水袋１３から水密容器２２の内部に水１２が流れ出す。このように、水袋１３は、長尺状開封具２３に大きな力を加えなくても、その上下面を構成する二枚のフィルムを引き裂くだけで簡単に開封することができる。
【００５９】
そして、水密容器２２の内部に流れ出た水１２は、透水性の袋体１６を透過して発熱剤１７に接触し、そして発熱剤１７が発熱する。この発熱剤１７の発する熱により生じた水蒸気は、水密容器２２の水不透性フィルム２１の開口から外部に噴き出る。この水蒸気は、図６に記入した矢印６６ｂが示すように、食品トレイ６４の周縁部に設けられた透孔６４ａを通過して、例えば、食品トレイ６４に入れたご飯６７を加熱したのち、蓋体６５に設けられた透孔６５ａを通って外部に流れ出る。
【００６０】
このように、本発明の発熱具１０を使用する際には、長尺状開封具２３によって、先ず一枚のフィルム（水密容器２２の上面の水不透性フィルム２１）が引き裂かれ、その次に二枚のフィルム（水袋１３の上下面を構成するフィルム）が引き裂かれる。すなわち、発熱具１０においては、使用の際に三枚以上のフィルムを同時に引き裂くことがないため、長尺状開封具２３に大きな力を加える必要はない。このため、本発明の発熱具１０は、使用者に長尺状開封具が切れたり、あるいは発熱具が壊れたりするとの誤解を生じさせることなく長尺状開封具２３を十分に引っ張らせることができるため、食品を確実に且つ均一に加熱することができる。
【００６１】
また、図３〜図５に示すように、発熱具１０の長尺状開封具２３の上記一方の端部２３ａは、この端部に設けられた結び目が切り込み１５ｂに挟まれた状態にて支持板１５に離脱可能に仮固定されている。このため、図１０に示す状態から更に長尺状開封具２３を引っ張ると、開封具２３の結び目が支持板１５の切り込み１５ｂから外れて、開封具２３の全体を食品加熱容器６０の箱体６３の透孔６２から外部に引き抜くことが可能になる。このように長尺状開封具２３の引き抜きを可能にすると、力の大きさを加減しながら開封具２３を引っ張る必要がない。このため、使用者に力の加減によって長尺状開封具２３が切れたり、あるいは発熱具１０が壊れたりするとの誤解を生じさせることなく開封具２３を十分に引っ張らせることができるため、食品を更に確実に且つ均一に加熱することができる。また、食事中に長尺状開封具２３が食品加熱容器６０の箱体６３の透孔６２から垂れ下がって邪魔になることもない。
【００６２】
このように長尺状開封具２３を引き抜く場合には、図３及び図５に示すように、水袋１３は、その前方側の辺が樹脂フィルムを二つ折りにすることで形成され、そして残りの各辺の端部あるいはその近傍にて熱融着された構成を有していることが好ましい。これにより、図９及び図１０に示すように長尺状開封具２３によって水袋１３を後方側から前方側へと引き裂く際に、水袋１３の前方側に強度が高く引き裂きにくい熱融着された部分が存在しなくなるため、水袋を容易に二つに引き裂くことができる。水袋が二つに引き裂かれると、使用者が長尺状開封具２３を引っ張って、その全体を食品容器６０の箱体６３の外部に引き抜くことが容易になる。
【００６３】
本発明の食品加熱容器６０において、発熱具１０は、箱体６３の底に固定されていることが好ましい。発熱具１０と箱体６３とが互いに固定されていると、発熱具１０が箱体６３の内部で移動できなくなるため、水密容器２２の水不透性フィルム２１及び水袋１３の各々を、長尺状開封具２３を用いて更に容易に引き裂くことができる。発熱具１０と食品加熱容器６０の箱体６３とは、例えば、両面接着テープ（あるいは接着剤）により互いに固定することができる。
【００６４】
図１１は、本発明の第一の構成の発熱具の別の一例を示す断面図である。図１１の発熱具２０の構成は、長尺状開封具２３の一方の端部２３ａが支持板１５の開口部１４よりも前方側に固定され、前方側から水袋１３の下を通って水袋１３の後方にて折り返された後に水袋１３と支持板１５との間を通って、上記の支持板１５の前端を超える位置にて上方に折り曲げられていること以外は図３に示す発熱具１０と同様である。このように、長尺状開封具２３は、通常は、図３の発熱具１０のように前方側から水袋１３と支持板１５との間を通るか、あるいは図１１の発熱具２０のように前方側から水袋１３の下を通るかして、水袋１３の周囲を一周したのちに水密容器２２の上面後方側から外部に引き出される。図１１の発熱具２０の動作については、図３の発熱具１０と同様であるため説明は省略する。
【００６５】
次に、本発明の第二〜第四の構成の発熱具について説明する。これらの発熱具は、図１を用いて説明したように水袋１３、支持板１５及び発熱剤１７の上下の位置関係に違いがあるだけで、いずれの発熱具においても、長尺状開封具２３によって先ず水密容器２２が開封され、その次に水袋１３が開封される。以下では、第二〜第四の各々の構成の発熱具の構造を図面を参照しながら簡単に説明する。但し、第二〜第四の各々の構成の発熱具の動作については、図３の第一の構成の発熱具１０と同様であるため説明は省略する。なお、第二〜第四の各々の構成の発熱具を用いた食品加熱容器は、図６の食品加熱容器の第一の構成の発熱具１０に代えて、第二〜第四の各々の構成の発熱具を用いることで同様にして作製することができる。
【００６６】
図１２は、本発明の第二の構成の発熱具の一例を示す断面図である。図１２に示す本発明の第二の構成の発熱具３０は、支持板１５、易引裂性の袋体１１に水１２が封入された水袋１３、および透水性の袋体１６に水との接触により発熱する発熱剤１７が収容された発熱剤袋１８をこの順に積層し、そして上記の水袋１３と支持板１５とを支持板１５の後方側にて互いに固定してなる積層体１９ｂが封入されている、上面が易引裂性の水不透性フィルム２１で形成されている水密容器２２、および一方の端部２３ａが支持板１５の前方側に固定され、前方側から水袋１３と発熱剤袋１８との間を通って水袋１３の後方にて折り返された後に水袋１３と支持板１５との間を通って（あるいは前方側から水袋と支持板との間を通って水袋の後方にて折り返された後に水袋と発熱剤袋との間を通って）、上記の水袋１３の前端を超える位置にて上方に折り曲げられ、次いで発熱剤袋１８の上を通って水密容器２２の上面後方側から外部に引き出され、そして他方の端部２３ｂが水密容器２２の前端を超えるようにされている長尺状開封具２３から構成されている。
【００６７】
第二の構成の発熱具３０は、図１（Ｂ）を用いて説明したように、水袋１３の上に発熱剤１７を収容した発熱剤袋１８が配置され、そして水袋１３の下に支持板１５が備えられているものである。図１２に示すように、第二の構成の発熱具３０の場合には、水袋１３の上に直接に発熱剤袋１８が積層されているため、支持板１５には開口部１４が備えられていなくともよい。但し、支持板１５に開口部１４が備えられていると、水袋１３の外に流れ出て支持板１５の下に入り込んだ水を、発熱剤１７が収容された発熱剤袋１８の下面に有効に接触させることができるようになる。
【００６８】
なお、支持板１５として開口部１４が備えられていないものを用いる場合には、水袋１３と支持板１５との固定位置を示す「支持板の後方側」とは、支持板１５の前端から、後方側に支持板１５の前後方向の長さの５０％以上（好ましくは７０％以上）離れた位置よりも更に後方側であることを意味する。また、長尺状開封具２３の一方の端部２３ａが固定される「支持板１５の前方側」とは、支持板１５の開封具２３の水袋１３の後方で折り返された部分に対応する位置から、前方側に水袋１３の前後方向の長さの２０％以上（好ましくは５０％以上）離れた位置よりも更に前方側であることを意味する。
【００６９】
図１３は、本発明の第三の構成の発熱具の一例を示す断面図である。図１３に示す本発明の第三の構成の発熱具４０は、水との接触により発熱する発熱剤１７、易引裂性の袋体１１に水１２が封入された水袋１３、および支持板１５をこの順に積層し、そして上記の水袋１３と支持板１５とを支持板１５の後方側にて互いに固定してなる積層体１９ｃが封入されている、上面が易引裂性の水不透性フィルム２１で形成されている水密容器２２、および一方の端部２３ａが支持板１５の前方側に固定され、前方側から水袋１３と発熱剤１７との間を通って水袋１３の後方にて折り返された後に水袋１３と支持板１５との間を通って（あるいは前方側から水袋と支持板との間を通って水袋の後方にて折り返された後に水袋と発熱剤との間を通って）、上記の支持板１５の前端を超える位置にて上方に折り曲げられ、次いで支持板１５の上を通って水密容器２２の上面後方側から外部に引き出され、そして他方の端部２３ｂが水密容器２２の前端を超えるようにされている長尺状開封具２３から構成されている。
【００７０】
第三の構成の発熱具４０は、図１（Ｃ）を用いて説明したように、発熱剤１７の上に水袋１３が配置され、そして水袋１３の上に支持板１５が備えられているものである。図１３に示すように、第三の構成の発熱具４０の場合には、水袋１３の下に発熱剤１７が配置されているため、支持板１５には開口部１４が備えられていなくともよい。但し、支持板１５に開口部１４が備えられていると、発熱剤１７にて発生した水蒸気が、支持板１５の開口部１４を通って、使用の際に水密容器２２の水不透性フィルム２１に形成される開口から十分に噴き出るようになる。仮に支持板１５に開口部１４が備えられていないと、発熱剤１７の発熱により発生した水蒸気が、支持板１５の下側からその外側周縁と水密容器２２との隙間を通り、その際に水蒸気が冷却されてその一部分が水に戻るため、上記の水不透性フィルム２１の開口から噴き出す水蒸気の量が少なくなる。
【００７１】
また、本発明の第三の構成の発熱具４０（及び次に説明する第四の構成の発熱具５０）の場合には、発熱剤１７は水密容器２２の内側底部に配置されるため、発熱剤１７は透水性の袋体１６に収容されていなくともよい。但し、透水性袋体１６に発熱剤１７が収容された発熱剤袋１８を用いると、発熱剤袋１８、水袋１３、そして支持板１５が積層された積層体１９ｃを予め用意しておき、これを水密容器２２に封入するという簡単な手順によって発熱具４０を組み立てることができる。
【００７２】
図１４は、本発明の第四の構成の発熱具の一例を示す断面図である。図１４に示す本発明の第四の構成の発熱具５０は、水との接触により発熱する発熱剤１７、支持板１５、および易引裂性の袋体１１に水１２が封入された水袋１３をこの順に積層し、そして上記の水袋１３と支持板１５とを支持板１５の後方側にて互いに固定してなる積層体１９ｄが封入されている、上面が易引裂性の水不透性フィルム２１で形成されている水密容器２２、および一方の端部２３ａが支持板１５の前方側に固定され、前方側から水袋１３の上を通って水袋１３の後方にて折り返された後に水袋１３と支持板１５との間を通って、上記の水袋１３の前端を超える位置にて上方に折り曲げられ、次いで水袋１３の上を通って水密容器２２の上面後方側から外部に引き出され、そして他方の端部２３ｂが水密容器２２の前端を超えるようにされている長尺状開封具２３から構成されている。
【００７３】
第四の構成の発熱具５０は、図１（Ｄ）を用いて説明したように、発熱剤１７の上に水袋１３が配置され、そして水袋１３の下に支持板１５が備えられているものである。図１４に示すように、第四の構成の発熱具５０の場合には、水袋の下に発熱剤が配置されているため、支持板１５に開口部１４が備えられていなくとも、水袋１３から支持板１５の上面に流れ出た水は支持板１５の周縁外側から下方に流れ落ちて発熱剤１７に接触することができる。
【００７４】
しかしながら、仮に支持板１５に開口部１４が設けられていない場合には、発熱具５０を使用する際に長尺状開封具２３によって水密容器２２を開封し、次いで水袋１３を引き裂いた場合に、水袋１３から流れ出た水が下方に流れ難いため、その一部分が開封具２３で引き裂かれた水密容器２２の水不透性フィルム２１の開口から外部に漏れ出ることがある。支持板１５に開口部１４が備えられていると、長尺状開封具２３により水袋１３が引き裂かれた際に、水袋１３から流れ出た水が直ちに支持板１５の開口部１４を通って支持板１５の下側に流れ落ちるため、上記のような水密容器２２の外部への水の漏れ出しを防止することができる。また、支持板１５に開口部１４が備えられていると、上記の第三の構成の発熱具の場合と同様に、発熱剤１７にて発生した水蒸気が、支持板１５の開口部１４を通って水密容器２２の水不透性フィルム２１に形成された開口から十分に噴き出るようになる。
【００７５】
これまで説明したように、本発明のいずれの構成の発熱具も、使用の際に長尺状開封具に大きな力を加える必要はない。このため、本発明の発熱具を用いることにより、使用者（特に、女性や老人あるいは子供などの力の弱い使用者）に、弁当や惣菜などの食品を確実に且つ均一に温ためられた状態にて提供することが可能になる。
【図面の簡単な説明】
【００７６】
【図１】本発明の発熱具に用いる水袋１３、発熱剤１７及び支持板１５の積層順序について説明する断面図である。
【図２】本発明の第一の構成の発熱具の一例を示す斜視図である。
【図３】図２に記入した切断線III−III線に沿って切断した発熱具１０の断面図である。
【図４】図３に示す発熱具１０の積層体１９ａを水密容器２２に封入する前の状態を示す斜視図である。
【図５】図４に示す積層体１９ａを分解した状態を示す斜視図である。
【図６】本発明の食品加熱容器の構成例を示す部分断面図である。
【図７】図６の食品加熱容器６０の発熱具１０の動作を説明する図である。
【図８】図６の食品加熱容器６０の発熱具１０の動作を説明する別の図である。
【図９】図６の食品加熱容器６０の発熱具１０の動作を説明する更に別の図である。
【図１０】図６の食品加熱容器６０の発熱具１０の動作を説明する更に別の図である。
【図１１】本発明の第一の構成の発熱具の別の一例を示す断面図である。
【図１２】本発明の第二の構成の発熱具の一例を示す断面図である。
【図１３】本発明の第三の構成の発熱具の一例を示す断面図である。
【図１４】本発明の第四の構成の発熱具の一例を示す断面図である。
【図１５】従来の発熱具の構成例を示す分解斜視図である。
【図１６】従来の発熱具の別の構成例を示す斜視図である。
【符号の説明】
【００７７】
１０、２０、３０、４０、５０  発熱具
１１  易引裂性の袋体
１１ａ  切り込み
１２  水
１３  水袋
１４  開口部
１５  支持板
１５ａ  発熱剤袋固定板
１５ｂ  切り込み
１６  透水性の袋体
１７  発熱剤
１８  発熱剤袋
１９ａ、１９ｂ、１９ｃ、１９ｄ  積層体
２１  水不透性フィルム
２１ａ  切り込み
２２  水密容器
２３  長尺状開封具
２３ａ  長尺状開封具の一方の端部
２３ｂ  長尺状開封具の他方の端部
２４  綴じ針
２５  接着テープ
２６  樹脂
６０  食品加熱容器
６１  壁
６２  透孔
６３  箱体
６４  食品トレイ
６４ａ  透孔
６５  蓋体
６５ａ  透孔
６６ａ、６６ｂ  矢印
６７  ご飯
７０  発熱具
７１  粉末状の発熱剤
７２  水袋
７３  紐
７３ａ  紐の端部
７４  支持材
７５  ケース
７６  防湿シート
７７  水蒸気透過シート
８０  発熱具
８１  発熱部材
８２  水袋
８２ａ  シール部
８２ｂ  切り込み
８３  テープ片
８５  収納袋
【図１】
2008089214.tif 000003
【図２】
2008089214.tif 000004
【図３】
2008089214.tif 000005
【図４】
2008089214.tif 000006
【図５】
2008089214.tif 000007
【図６】
2008089214.tif 000008
【図７】
2008089214.tif 000009
【図８】
2008089214.tif 000010
【図９】
2008089214.tif 000011
【図１０】
2008089214.tif 000012
【図１１】
2008089214.tif 000013
【図１２】
2008089214.tif 000014
【図１３】
2008089214.tif 000015
【図１４】
2008089214.tif 000016
【図１５】
2008089214.tif 000017
【図１６】
2008089214.tif 000018